(57)【要約】【課題】キーボードを備えることなくパスワードを入力させることができるパスワード入力装置及びパスワード照合システムを提案する。【解決手段】パスワード入力装置１０は、デジタルビデオカメラ３５で連続的に撮像された画像を取得する画像取得部１１と、画像取得部１１が取得した画像から顔を抽出する顔抽出回路１２と、抽出した顔画像の表情を認識し、予め決められた０〜７の表情のどれに相当するか判定する表情認識回路１４と、表情認識回路１４の判定結果が直前の顔画像から変化し、変化後の状態が一定時間継続したときに、表情認識回路１４の判定した数字をパスワードを構成する１つの数字として前記顔画像Ａに割り当てるパスワード付与回路１５と、付与された数字の個数が所定数となった時に、その文字列をパスワードとして出力するパスワード出力回路１６とを備える。【選択図】図１０
2010182056.tif 000002
【特許請求の範囲】
【請求項１】
デジタルカメラで撮像された１コマ分の被写体画像の取り込みを行う画像取得部と、
前記画像取得部によって取り込まれた画像の中から顔を抽出する顔抽出手段と、
前記顔抽出手段によって抽出された顔画像の表情を認識する表情認識手段と、
前記顔画像に対する前記表情認識手段の判定結果が直前の顔画像から変化し、変化後の状態が一定時間継続したときに前記判定結果に基づいた１文字を前記顔画像に付与するパスワード付与手段と、
前記パスワード付与手段によって付与された文字の数が所定数となった時に、その文字列をパスワードとして出力するパスワード出力手段と、
を備えたことを特徴とするパスワード入力装置。
【請求項２】
デジタルカメラで撮像された１コマ分の被写体画像の取り込みを行う画像取得部と、
前記画像取得部による前記１コマ分の画像の取り込みを指示する画像入力指示ボタンと、
前記画像取得部によって取り込まれた画像の中から顔を抽出する顔抽出手段と、
前記顔抽出手段によって抽出された顔画像の表情を認識する表情認識手段と、
前記表情認識手段の判定結果に基づいた１文字を前記顔画像に付与するパスワード付与手段と、
前記パスワード付与手段によって付与された文字の数が所定数となった時に、その文字列をパスワードとして出力するパスワード出力手段と、
を備えたことを特徴とするパスワード入力装置。
【請求項３】
前記表情認識手段は、前記顔抽出手段によって抽出された顔画像の中から複数の異なる領域を検出する特定領域検出手段と、前記特定領域検出手段によって検出された前記複数の異なる領域のそれぞれに対して画像状態を認識し、複数の異なる領域の画像状態の組合せを判定する画像状態判定手段と、から構成されることを特徴とする請求項１又は２記載のパスワード入力装置。
【請求項４】
前記複数の異なる領域は、口領域と右目領域と左目領域であることを特徴とする請求項３記載のパスワード入力装置。
【請求項５】
請求項１乃至４いずれかに記載のパスワード入力装置と、
被写体像を撮像するデジタルカメラと、
許可を与えるパスワードを記憶した記憶装置と、
前記パスワード入力装置が出力したパスワードと、前記記憶装置に記憶されたパスワードとを比較し照合するパスワード照合手段と、
を備えたことを特徴とするパスワード照合システム。
【請求項６】
請求項１乃至４いずれかに記載のパスワード入力装置と、
パスワードを含む個人情報を入力するユーザ情報入力手段と、
前記ユーザ情報入力手段によって特定されたパスワードと、前記パスワード入力装置によって入力されたパスワードとを比較し照合するパスワード照合手段と、
を備えたことを特徴とするパスワード照合システム。
【発明の詳細な説明】
【技術分野】
【０００１】
本発明は、パスワードを入力するためのパスワード入力装置及び入力されたパスワードを事前に許可されたパスワードと照合するパスワード照合システムに関するものである。
【背景技術】
【０００２】
近年、セキュリティ・チェックはＩＣ化や暗号化、パスワードの使用など、さまざまな方法で個人認証が行われるようになってきた。例えば、社員証に表示されている顔写真などを目視することにより人間が確認していた入門時のセキュリティ・チェックに代えて、ＩＣカード化した社員証を入門時に認証装置に読み取られることで本人確認を行う企業が増えている。更に、各職場に入室する時にも、前記社員証によるチェックや入口に備えられたキーボードにより各自のパスワードを入力することによるチェックを受けなければ、入室できないようになっている所もある。また、手指の指紋や静脈あるいは虹彩などの生体認証による本人確認も普及している。
【０００３】
これらＩＣカードやパスワードは常に盗難の危険性があり、前述の生体認証も万全とは言えず、実際に指紋を盗まれて悪用された事件も発生している。下記特許文献１には、テンキーと表示装置を備えたＩＣカードと玄関ロック装置側に設けられた指紋入力装置による入室管理システムが記載されている。この入室管理システムは、パスワードをテンキーで入力すると表示装置に複数の指の指紋を入力する順番が表示され、その指示に基づいて複数の指の指紋を入力したＩＣカードを玄関ロック装置のカードリーダーに差し込むものである。ここで指紋を入力する順番は前回のＩＣカード使用時に自動的に入力され毎回異なるものである。
【０００４】
生体認証は、指紋や静脈または虹彩など身体の一部の特徴を捉えたものであるが、人物を撮影することの多いデジタルカメラでは顔認識あるいは顔検出技術が進んでおり、顔を検出するだけでなく、口の画像における口角の位置などから笑っている顔あるいは怒っている顔を判別したり、眼が開いているか閉じているかを判別したりすることができる。下記特許文献２には、これらの技術を用いて複数の顔画像から最も良いと思われる顔画像を作成する方法が記載されている。
【先行技術文献】
【特許文献】
【０００５】
【特許文献１】特開２００２−１８３０９５号公報
【特許文献２】特開２０００−２５９８３３号公報
【発明の概要】
【発明が解決しようとする課題】
【０００６】
個人を特定する方法は、ユーザが誰であるかを示すユーザＩＤや、本人しか知りえないパスワードを入力させるという最も基本的な方法しかない。前記特許文献１に示されるような複雑な装置であっても、個人情報が解析される可能性はゼロにはならず、セキュリティ・チェックをより厳重にするために生体認証などによるユーザＩＤの確認とパスワード入力とが併用されることが多い。しかし、これらの方法は個人情報をデータベースに事前登録しなければならず、データベースに登録されていない者はどんなに地位の高い人、特別な理由のある人であっても突然には入室することができないといった不便さも生じる。また、パスワード入力のために各扉の前にキーボードを設置しなければならないが、複数のキーを有するキーボードはスペース的に設置困難な場合があり、そもそも扉の存在を知らせたくない場合には設置すること自体に問題があることがある。
【０００７】
本発明は上記問題点に鑑み、キーボードを備えることなくパスワードの入力が可能なパスワード入力装置及び個人情報の登録なしでもパスワードの入力だけで許可されるパスワード照合システムを提案する。
【課題を解決するための手段】
【０００８】
本発明によるパスワード入力装置は、デジタルカメラで撮像された１コマ分の被写体画像の取り込みを行う画像取得部と、前記画像取得部によって取り込まれた画像の中から顔を抽出する顔抽出手段と、前記顔抽出手段によって抽出された顔画像の表情を認識する表情認識手段と、前記顔画像に対する前記表情認識手段の判定結果が直前の顔画像から変化し、変化後の状態が一定時間継続したときに前記判定結果に基づいた１文字を前記顔画像に付与するパスワード付与手段と、前記パスワード付与手段によって付与された文字の数が所定数となった時に、その文字列をパスワードとして出力するパスワード出力手段と、を備えたことを特徴とする。あるいは、前記画像取得部と、前記画像取得部による前記１コマ分の画像の取り込みを指示する画像入力指示ボタンと、前記顔抽出手段と、前記表情認識手段と、前記パスワード付与手段と、前記パスワード出力手段と、を備えるようにしても良い。前記表情認識手段は、前記顔抽出手段によって抽出された顔画像の中から複数の異なる領域を検出する特定領域検出手段と、前記特定領域検出手段によって検出された前記複数の異なる領域のそれぞれに対して画像状態を認識し、複数の異なる領域の画像状態の組合せを判定する画像状態判定手段と、から構成されるようにすると良い。前記複数の異なる領域は、口領域と右目領域と左目領域であることが好ましい。
【０００９】
本発明によるパスワード照合システムは、前記パスワード入力装置と、被写体像を撮像するデジタルカメラと、許可を与えるパスワードを記憶した記憶装置と、前記パスワード入力装置が出力したパスワードと前記記憶装置に記憶されたパスワードとを比較し照合するパスワード照合手段と、を備える。あるいは、個人情報を入力するユーザ情報入力手段を備え、前記ユーザ情報入力手段によって特定されたパスワードと、前記パスワード入力装置が出力したパスワードとを前記パスワード照合手段によって比較し照合するようにしても良い。
【発明の効果】
【００１０】
本発明によれば、顔の表情でパスワードの入力をするのでキーボードが不要であるから設置スペースに苦慮することがなく、扉の存在や扉のセキュリティについて殊更目立たせることなく、パスワードを入力することができる。
【図面の簡単な説明】
【００１１】
【図１】本発明によるパスワード入力装置の電気的構成を示す図である。
【図２】撮像され取得された顔画像Ａの模式図である。
【図３】顔画像Ａの口領域Ｂを示す模式図である。
【図４】顔画像Ａの右目領域Ｃを示す模式図である。
【図５】顔画像Ａの左目領域Ｄを示す模式図である。
【図６】顔パーツテーブルに保存されたサンプルを示す模式図である。
【図７】パスワードテーブルを説明するための図である。
【図８】パスワード入力装置の動作手順を示すフローチャートである。
【図９】施錠制御装置の構成を示す模式図である。
【図１０】パスワード照合システムの電気的構成を示す図である。る。
【図１１】パスワード照合システムの動作手順を示すフローチャートである。
【図１２】デジタルカメラを用いた施錠制御装置の構成を示す模式図である。
【図１３】図１２に示す施錠制御装置の電気的構成を示す図である。
【図１４】図１２に示す施錠制御装置の動作手順を示すフローチャートである。
【図１５】ＩＣカードによる認証を用いた施錠制御装置の構成を示す模式図である。
【図１６】図１５に示す施錠制御装置の電気的構成を示す図である。
【図１７】図１５に示す施錠制御装置の動作手順を示すフローチャートである。
【図１８】指紋認証装置を用いた施錠制御装置の構成を示す模式図である。
【図１９】図１８に示す施錠制御装置の電気的構成を示す図である。
【図２０】図１８に示す施錠制御装置の動作手順を示すフローチャートである。
【発明を実施するための形態】
【００１２】
図１に示すように、本発明によるパスワード入力装置１０は、デジタルビデオカメラ等で連続的に撮像された画像を取得する画像取得部１１と、画像取得部１１が取得した画像から顔を抽出する顔抽出回路（顔抽出手段）１２と、抽出した顔画像Ａ（図２参照）の表情を認識し、予め決められた０〜７の表情のどれに相当するか判定する表情認識回路（表情認識手段）１４と、表情認識回路１４の判定した０〜７の数字をパスワードを構成する１つの数字（文字）として前記顔画像Ａに割り当てるパスワード付与回路（パスワード付与手段）１５と、パスワード付与回路１５によって付与された数字の数が所定数となった時に、その文字列をパスワードとして出力するパスワード出力回路（パスワード出力手段）１６と、を備える。パスワード付与回路１５は、前記顔画像Ａに対する前記表情認識回路１４の判定結果が直前の顔画像から変化し、変化後の状態が一定時間（例えば、１秒）継続したときに、その判定結果に対する前記１つの数字を付与する。一定時間の継続は、所定の画像数をカウントすることで判断しても良い。また、同じ判定結果が継続し続ける場合は、判定結果が変化するまで新たに付与しない。これによって瞬きなど無意識な表情の変化による誤入力を防止することができる。
【００１３】
前記表情認識回路１４は、前記顔抽出回路１２によって抽出された顔画像Ａの中から口とその周辺を含む領域（以下、口領域と言う。）Ｂ（図３参照）と、右目とその周辺を含む領域（以下、右目領域と言う。）Ｃ（図４参照）と、左目とその周辺を含む領域（以下、左目領域と言う。）Ｄ（図５参照）（以上、複数の異なる領域）を検出する特定領域検出回路（特定領域検出手段）１７と、前記口領域と右目領域と左目領域の画像から口の状態と右目の状態と左目の状態とをそれぞれ判定し、その組合せ結果を出力する画像状態判定回路（画像状態判定手段）１８と、から構成される。
【００１４】
パスワード入力装置１０は、ＣＰＵ２０、ＲＡＭ２１、ＲＯＭ２２を備え、前記画像取得部１１及び前記顔抽出回路１２、特定領域検出回路１７、画像状態判定回路１８とともに、データバス２３によって接続される。ＣＰＵ２０はＲＯＭ２２からパスワード入力装置１０を実行するためのシステムプログラム２５を読み出してＲＡＭ２１に書き込み、プログラムの実行を図る。ＲＡＭ２１は複数の記憶エリアを有しており、複数種類の情報を同時に記憶することができる。ＲＯＭ２２には、システムプログラム２５の他に顔パーツテーブル２６とパスワードテーブル２７が記憶されている。顔パーツテーブル２６には、図６に示すように、前記口、右目、左目が開いた状態を１、閉じた状態を０としたサンプル画像が記憶され、前記特定領域検出回路１７によって検出された画像の状態を前記画像状態判定回路１８が判定するときに顔パーツテーブル２６の画像と比較する。パスワードテーブル２７は、図７に示すように、閉じた口、開いた口、閉じた右目、開いた右目、閉じた左目、開いた左目による８種類の組合せ状態に対してそれぞれ０〜７の数字を割り付けたものであり、前記画像状態判定回路１８は口、右目、左目の状態を０〜７の数字で出力する。また、ＣＰＵ２０は、パスワード付与回路１５によって前記顔画像Ａにパスワードとなる数字の１つが付与される毎に、次の表情に変化させることを促す音を発するようにスピーカ２９に指示する。なお、表情に変化させることを促す報知手段としてスピーカ２９の代わりに表示ランプを設けても良い。
【００１５】
次に、前記パスワード入力装置１０の作用について、図８に示すフローチャートに沿って説明する。デジタルビデオカメラの撮影レンズに向けられた顔が毎秒数十コマ（例えば、３０コマ）の速さで撮影され、撮影された中から１コマ分の画像が取り込まれる。取り込まれた１コマ分の画像から顔画像Ａが抽出される。抽出された顔画像Ａから口領域Ｂと右目領域Ｃと左目領域Ｄが検出され、それぞれの画像は顔パーツテーブル２６のサンプルと比較されて、口の開閉、右目の開閉、左目の開閉の状態がそれぞれ検知され、その状態が画像状態として判定され、判定された結果は０〜７の数字でＲＡＭ２１に一時記憶される。例えば、口と左目が開いて右目が閉じている場合は１，０，１の組合せとなり３が割り付けられる。顔画像の状態が判定されると同時にスピーカ２９から次の表情を作ることを促す音が報知される。
【００１６】
１コマ分の画像の取り込みから表情の判定までの作業が毎秒数十コマで撮影される顔画像に対して行われ、同じ表情の顔画像Ａが所定コマ数（一定時間）以上継続するか否かが監視される。同じ表情を示す同じ数字が連続してＲＡＭ２１に記憶され、所定の数以上になったときにパスワード付与回路１５によってその表情の顔画像Ａに対してその数字が１つだけパスワードとして付与されＲＡＭ２１の別の場所に記憶される。例えば、秒３０コマで顔画像が撮像されている場合に同じ数字が３０個連続することは１秒間同じ表情をしたことになり、その表情に意思があるものと判断できるので瞬きなどのノイズと区別することができる。勿論、この設定は１秒間（３０個）に限るものではなく０．５秒間（１５個）であっても差し支えない。ユーザが顔の表情を変える毎に、画像の取り込みからパスワードとなる１つの数字の付与までが繰り返される。こうして、パスワードとなる数字が順次にＲＡＭ２１に記憶され、その数字が所定数となった時に、その数列（文字列）がパスワード出力回路１６によってパスワードとして出力される。
【００１７】
次に、本発明によるパスワード照合システム３０を備えた施錠制御装置３１について説明する。図９及び図１０に示すように、施錠制御装置３１は、施錠装置３８によって施錠されたドア（図示せず）の横の壁３２の内側に設置され外側からは見えない。施錠制御装置３１の略直方体をした筐体３３に収容されたデジタルビデオカメラ３５の撮影レンズ３６とスピーカ２９が、壁３２から露呈している。パスワード照合システム３０は、ユーザが前記撮影レンズ３６に顔の表情を変化させて入力するパスワード情報を数字化（文字化）してパスワードを入力する前記パスワード入力装置１０及びパスワード照合回路（パスワード照合手段）３７を備える。パスワード照合回路３７は、前記パスワード入力装置１０に備えられたデータバス２３に接続され、前記ＣＰＵ２０によって制御される。ＲＯＭ２２に記憶されたシステムプログラム２５は、施錠制御装置３１を制御してパスワード照合システム３０を実行させる。前記ＲＯＭ２２には入室が許可される者のパスワードが事前に記憶され、前記パスワード照合回路３７は、ＲＯＭ２２に記憶されたパスワードと前記パスワード入力装置１０で入力されたパスワードとを比較し照合する。これら２つのパスワードが一致した場合には前記ドアの施錠装置３８に対して前記ＣＰＵ２０から解除信号が伝達され、施錠装置３８の施錠が解除される。なお、前記デジタルビデオカメラ３５は、被写体人物の顔を連続的に撮影する動画撮影可能なものであるが、周知であるため詳細な説明は省略する。なお、入室が許可された者のパスワードは前記ＲＯＭ２２に記憶するのではなく、別の記憶装置に記憶させるようにしても良い。また、突然の来訪者ように、来訪者専用パスワードを登録しておくようにしても良い。
【００１８】
前記パスワード入力装置１０及びパスワード照合システム３０を備えた施錠制御装置３１の作用を図１１に示すフローチャートに沿って説明する。デジタルビデオカメラ３５の撮影レンズ３６に向けられた人物の顔は毎秒３０コマの速さで連続して撮影され、撮影された中から１コマ分の画像が前記パスワード入力装置１０に連続して取り込まれる。以降、図８で説明したパスワード入力装置１０のフローが実行され、パスワード入力装置１０からパスワードが出力される。パスワード入力装置１０から出力されたパスワードは、パスワード照合回路３７によって前記ＲＯＭ２２に記憶・登録されたパスワードと比較され、これら２つのパスワードが一致すると前記施錠装置３８の施錠が解除される。
【００１９】
次に、別の実施形態について説明する。前記パスワード入力装置１０及びパスワード照合システム３０は動画撮影用のデジタルビデオカメラ３５によって連続的に撮影された画像を前提にしたものであるが、顔画像の撮影に静止画撮影用のデジタルカメラを用いても良く、その場合は、ユーザが１つの表情を作った状態でレリーズボタン（画像入力指示ボタン）を押すことでその表情が取り込まれるようにすれば良い。前記パスワード入力装置１０と同じ部分は説明を省略する。図１２に示すように、パスワード照合システム４０によって作動する施錠制御装置４１は、撮影レンズ４６を有するデジタルカメラ４５とレリーズボタン４４とパスワード入力装置４２とが略直方体をした筐体４３に収容され、施錠装置３８によって施錠されたドア（図示せず）の横の壁３２に埋設される。図１３に示すように、パスワード照合システム４０は、ユーザが前記撮影レンズ４６に顔の表情を変化させて入力するパスワード情報を数字化（文字化）してパスワードを入力する前記パスワード入力装置４２及びパスワード照合回路３７を備える。ＣＰＵ２０はＲＯＭ４８からパスワード入力装置４２を実行するためのシステムプログラムを読み出して前記ＲＡＭ２１に書き込みプログラムの実行を図る。ＲＯＭ４８には、システムプログラムの他に前記顔パーツテーブル２６とパスワードテーブル２７とが記憶されている。なお、ＲＯＭ４８に記憶されたシステムプログラムは次に説明するパスワード照合システム４０を実行するためのプログラムを含んでいる。
【００２０】
パスワード入力装置４２を用いたパスワード照合システム４０によって作動する施錠制御装置４１の動作について図１４に示すフローチャートに沿って説明する。デジタルカメラ４５の撮影レンズ４６に人物の顔が向けられると撮影が開始される。図７に示す表情の中の１つを作りレリーズボタン４４を押すと、その表情の顔画像を含む１コマ分の画像がパスワード入力装置４２に取り込まれる。取り込まれた１コマ分の画像から顔画像Ａを抽出し、抽出された顔画像Ａから口領域Ｂと右目領域Ｃと左目領域Ｄが検出され、それぞれの画像は顔パーツテーブル２６のサンプルと比較されて、口の開閉、右目の開閉、左目の開閉の状態がそれぞれ検知され、その状態が画像状態として判定され、判定された結果は０〜７の数字で表される。例えば、口と左目が開いて右目が閉じている場合は１，０，１の組合せとなり３が割り付けられる。顔画像の状態が判定されると同時にスピーカ２９から次の表情を作ることを促す音が報知される。前記パスワード入力装置１０と異なり、１コマの顔画像Ａに対してパスワードとなる１つの数字が付与される。パスワード付与回路１５は、前記０〜７の中から割り付けられた数字をパスワードとしてＲＡＭ２１に記憶する。ＲＡＭ２１に記憶された数字が所定数となったときに、その数列がパスワードとして出力される。パスワード入力装置４２から出力されたパスワードは、パスワード照合回路３７によって前記ＲＯＭ４８に事前に登録されたパスワードと比較され、これら２つのパスワードが一致すると施錠装置３８の施錠が解除される。なお、レリーズボタン４４を用いた方法を、デジタルビデオカメラ３５を使用した前記パスワード入力装置１０に採用してもなんら差し支えない。
【００２１】
次に、ＩＣカードによる個人認証装置と前記パスワード入力装置１０とを組合せた施錠制御装置６１について説明する。ここでは前述のＲＯＭ４８に事前に登録されたパスワードは不要であり、パスワードの照合にはＩＣカードに記録されたパスワードを読み出して、顔の表情により入力されたパスワードと照合するパスワード照合システム６０を備える。図１５に示すように、パスワード照合システム６０によって作動する施錠制御装置６１は、前記デジタルビデオカメラ３５とＩＣカードから個人情報を採取して認証を行うカード認証装置（ユーザ情報入力手段）６４とパスワード入力装置６２とが略直方体をした筐体６３に収容され、前記施錠装置３８によって施錠されたドア（図示せず）の横の壁３２に埋設される。図１６に示すように、パスワード照合システム６０は、前記カード認証装置６４及びパスワード入力装置６２の他に前記パスワード照合回路３７を備える。パスワード入力装置６２のＲＯＭ６８に記憶されたシステムプログラムはパスワード照合システム６０を実行するためのプログラムを含んでいる。
【００２２】
前記施錠制御装置６１の動作を図１７に示すフローチャートに沿って説明する。前記カード認証装置６４にＩＣカードが挿入されると、ＩＣカードに記録されたパスワードが採取されＲＡＭ２１に記憶された後にパスワード照合回路３７に送られる。同時に、前記デジタルビデオカメラ３５とパスワード入力装置６２が作動する。図８で説明したように、ユーザが顔の表情を変えてパスワードを入力すると、前記デジタルビデオカメラ３５によって撮影された顔画像が前記パスワード入力装置６２で確認されパスワードとして出力される。出力されたパスワードは、パスワード照合回路３７によって前記ＩＣカードから読み出されたパスワードと比較され、これら２つのパスワードが一致すると施錠装置３８の施錠が解除される。なお、パスワードのみが記録された来訪者用ＩＣカードでもパスワードが照合されれば施錠装置３８の施錠が解除されるようにしても良い。
【００２３】
次に、生体認証とパスワード照合とを組合せた施錠制御装置について説明する。生体認証装置として指紋認証装置を例として採用する。図１８に示すように、パスワード照合システム５０によって作動する施錠制御装置５１は、前記デジタルビデオカメラ３５と手指の指紋を採取して認証を行う指紋認証装置（ユーザ情報入力手段）５４とパスワード入力装置５２とが略直方体をした筐体５３に収容され、前記施錠装置３８によって施錠されたドア（図示せず）の横の壁３２に埋設される。図１９に示すように、パスワード照合システム５０は、前記指紋認証装置５４及びパスワード入力装置５２の他に前記パスワード照合回路３７を備える。パスワード入力装置５２のＲＯＭ５８に記憶されたシステムプログラムはパスワード照合システム５０を実行するためのプログラムを含んでいる。
【００２４】
前記施錠制御装置５１の動作を図２０に示すフローチャートに沿って説明する。前記指紋認証装置５４に手指が挿入されると、そこから指紋が採取される。採取された指紋は指紋認証装置５４によって事前に登録されたものであるかが判定され、登録されていることが確認された場合には登録パスワードが読み出されるとともに、前記デジタルビデオカメラ３５と前記パスワード入力装置５２が作動する。図８で説明したように、ユーザが顔の表情を変えてパスワードを入力すると、前記デジタルビデオカメラ３５によって撮影された顔画像が前記パスワード入力装置５２で確認されパスワードとして出力される。出力されたパスワードは、パスワード照合回路３７によって指紋認証装置５４に登録された登録パスワードと比較され、これら２つのパスワードが一致すると施錠装置３８の施錠が解除される。
【００２５】
前記実施形態は、取り込まれた顔画像の表情が認識できたときに、次の表情を作ることを促す音をスピーカから発するようにしたが、スピーカもランプも取り付けず、次の表情を作ることを促す装置を全く設けなくても問題はない。
【００２６】
前記実施形態は、扉の施錠を開錠することを例に挙げて説明したが、本発明によるパスワード入力装置及びパスワード照合システムはこれに限るものではなく、例えば、使用者が限定されたパソコンに搭載しても良い。近年のパソコンにはデジタルカメラを備えたものがあり、デジタルカメラの撮影レンズに向かって、顔の表情で自分のパスワードを入力すると使えるようになる。あるいは、パソコン固有のパスワードを入力すれば誰でも使えるようにしても良い。
【符号の説明】
【００２７】
１０，４２，５２，６２  パスワード入力装置
１１  画像取得部
１２  顔抽出回路（顔抽出手段）
１４  表情認識回路（表情認識手段）
１５  パスワード付与回路（パスワード付与手段）
１６  パスワード出力回路（パスワード出力手段）
１７  特定領域検出回路（特定領域検出手段）
１８  画像状態判定回路（画像状態判定手段）
２０  ＣＰＵ
２１  ＲＡＭ
２２，４８，５８，６８  ＲＯＭ（記憶装置）
２５  システムプログラム
２６  顔パーツテーブル
２７  パスワードテーブル
３０，４０，５０，６０  パスワード照合システム
３１，４１，５１，６１  施錠制御装置
３５  デジタルビデオカメラ
３６，４６  撮像レンズ
３７  パスワード照合回路（パスワード照合手段）
３８  施錠装置
４４  レリーズボタン（画像入力指示ボタン）
４５  デジタルカメラ
５４  指紋認証装置（ユーザ情報入力手段）
６４  カード認証装置（ユーザ情報入力手段）
Ａ  顔画像
Ｂ  口領域
Ｃ  右目領域
Ｄ  左目領域
【図１】
2010182056.tif 000003
【図２】
2010182056.tif 000004
【図３】
2010182056.tif 000005
【図４】
2010182056.tif 000006
【図５】
2010182056.tif 000007
【図６】
2010182056.tif 000008
【図７】
2010182056.tif 000009
【図８】
2010182056.tif 000010
【図９】
2010182056.tif 000011
【図１０】
2010182056.tif 000012
【図１１】
2010182056.tif 000013
【図１２】
2010182056.tif 000014
【図１３】
2010182056.tif 000015
【図１４】
2010182056.tif 000016
【図１５】
2010182056.tif 000017
【図１６】
2010182056.tif 000018
【図１７】
2010182056.tif 000019
【図１８】
2010182056.tif 000020
【図１９】
2010182056.tif 000021
【図２０】
2010182056.tif 000022